(57)【要約】【課題】  適正な締付強さで緊締して封緘することにより、封緘対象物口部の締付強さ不足による封緘対象物口部からの封緘具の離脱、あるいは封緘対象物口部の過剰な締付による封緘具の不本意な分解や切断などを確実に防止することができる封緘具を提供する。【解決手段】  袋体１４の口部１４ａを締め付ける係合片１と、係合片１を挿通して締付状態にロックする係合部２とを備え、係合片１には鋸歯状の第１係合手段３が、係合部２には係合爪からなる第２係合手段９が設けられて、係合部２の挿通孔８に挿通された第１係合手段３と第２係合手段９とが互いに係合して不可逆的に袋体１４の口部１４ａを封緘する封緘具において、係合部２への係合片１の挿通量を規制する締付強さ設定手段１９を係合片１に設ける。【選択図】      図１
2005187033.tif 000002
【特許請求の範囲】
【請求項１】
封緘対象物の口部を締め付ける帯状の係合片と、この係合片を挿通して締付状態にロックする係合部とを備え、前記係合片には第１係合手段が設けられ、前記係合部には第２係合手段が設けられていて、該係合部の挿通孔に挿通された前記係合片の第１係合手段と前記第２係合手段とが互いに係合して不可逆的に前記封緘対象物の口部を封緘する封緘具において、
前記封緘対象物の口部の締め付け時に前記係合部に干渉して該係合部への前記係合片の挿通量を規制して、前記封緘対象物口部の締付強さを設定する締付強さ設定手段が前記係合片に設けられていることを特徴とする封緘具。
【請求項２】
請求項１に記載の封緘具において、
前記締付強さ設定手段が設けられている部位の係合片の厚さ寸法と締付強さ設定手段の高さ寸法との和の値を、前記係合部の挿通孔の少なくとも入口の高さ寸法よりも大きく設定したことを特徴とする封緘具。
【請求項３】
請求項１または請求項２のいずれかに記載の封緘具において、
前記締付強さ設定手段が１つまたは２つ以上設けられていることを特徴とする封緘具。
【請求項４】
請求項１、請求項２または請求項３のいずれかに記載の封緘具において、
前記締付強さ設定手段が前記帯状の係合片に一体に形成された突起によって構成されていることを特徴とする封緘具。
【請求項５】
請求項１、請求項２、請求項３または請求項４のいずれかに記載の封緘具において、
前記締付強さ設定手段が前記係合片の前記第１係合手段を設けた面と同じ面に設けられていることを特徴とする封緘具。
【請求項６】
請求項１、請求項２、請求項３または請求項４のいずれかに記載の封緘具において、
前記締付強さ設定手段と前記第１係合手段とが前記係合片の表裏の両面に互いに分離して設けられることを特徴とする封緘具。
【発明の詳細な説明】
【技術分野】
【０００１】
本発明は、たとえば、郵便局や金融機関などにおいて、現金やその他の貴重品を輸送するために使用される袋物の口部を封緘する封緘具に関する。
【背景技術】
【０００２】
郵便局や金融機関などにおいて、現金やその他の貴重品を輸送するために使用される袋物の口部を封緘する封緘具として、図１２，図１３に示すものが提供されている（たとえば、特許文献１）。
【０００３】
この封緘具は、合成樹脂の一体成形品によってなり、封緘対象物である袋物１４の口部１４ａを締め付ける帯状の係合片１と、この係合片１を挿通して締付状態にロックする係合部２とを備え、係合片１には、その内面に鋸歯状の第１係合手段３が設けられ、係合部２には、その挿通孔８の内部に係合爪からなる第２係合手段９が設けられていて、入口８ａから挿通孔８に挿通された係合片１の第１係合手段３と係合部２の第２係合手段９とが互いに係合して不可逆的に袋物１４の口部１４ａを封緘するようになっている。
【０００４】
また、帯状の係合片１には、その内面の自由端部１ａ寄りに複数の小突起４が所望の間隔をおいて形成され、内面の平坦な基端部１ｂ域と鋸歯状の第１係合手段３との境に位置する両側縁に撓み可能な一対の逆さ爪（図示省略）が突設され、その基端縁側に対しては、係合部２の把持片１０と切断可能な溝条部６とを介して接合される楕円リング状の切離片７を連設した構造になっている。
【０００５】
したがって、成形された原形の状態では、帯状の係合片１と係合部２とが、切離片７と溝条部６と把持片１０を介して一体化されて、その原形状態のまま、封緘具として使用に供されることとなるが、一旦、係合片１の切離片７を把持片１０から強く引っ張って、溝条部６を強制的に切断すると、切離片７と把持片１０とが完全に分離して、係合片１と係合部２の一体化した原形状態を容易に分解することができる。
【０００６】
また、封緘後に、挿通孔８に工具等の先端部を差し込んで、係合爪からなる第２係合手段９の第１係合手段３に対する係合解除を防止するために、少なくとも、挿通孔８の入口８ａ側と出口側を係合片１の断面と略等しい大きさとなし、かつ、第２係合手段９と第１係合手段３の確実な係合を得るために、挿通孔８をその長手方向に対して湾曲させている。
【０００７】
前記構成の封緘具の使用に際しては、係合部２に連設されている把持片１０を把持して、長尺な係合片１の内面で図１４に示すように、袋物１４の口部１４ａを締め付けながら、小突起４を利用して、係合片１の自由端部１ａを係合部体２の挿通孔８内に挿通して引き出せば、該挿通孔８内において、係合片１の第１係合手段３に第２係合手段９が弾性的に強固に係合する。これにより、図１２に示すように、袋物１４の口部１４ａを緊締して封緘することができる。
【０００８】
一方、袋物１４の口部１４ａを開封する場合には、その封緘状態のまま、切離片７を把持片１０から強く引っ張って、切離片７の内周縁と把持片１０の外周縁とを接合する溝条部６を全て切断すると、該溝条部６の切断により、把持片１０と切離片７とが完全に分離して、係合片１による口部１４ａの締付状態が即座に解除できるので、これにより、袋物１４の口部１４ａを簡単に開封することが可能になる。
【０００９】
すなわち、図１２に示す封緘状態において、袋物１４の口部１４ａを開封しようとした場合には、切離片７と把持片１０とを分離する以外方法がないので、両片７・１０の分離の有無を確認するだけで、不正行為が行われたか否かの判断が一目瞭然になされるので安全性に優れている。
【００１０】
【特許文献１】特許第３２１３７９５号
【発明の開示】
【発明が解決しようとする課題】
【００１１】
ところで、この種の封緘具では、係合片１による袋物１４の口部１４ａの締付強さが不足すると、封緘具が口部１４ａから自然発生的に離脱して、口部１４ａが不本意に開口されたり、あるいは不正行為によって袋物１４の口部１４ａから封緘具を離脱させて開口することが可能になる。また、係合片１による袋物１４の口部１４ａの締付は、把持片１０を一方の手で把持し、他方の手で係合片１を引っ張ることによってなされる。このため、係合片１による袋物１４の口部１４ａの締付強さが過剰になると、溝条部６の切断により把持片１０と切離片７とが完全に分離して封緘具が分解したり、あるいは係合片１の基端部１ｂにプレ・ブレークポイントと称される小断面積部分（不図示）が設けられている種類の封緘具では、このプレ・ブレークポイントで切断されることになって、当該封緘具による袋物１４口部１４ａの封緘が不能になる。したがって、新しい封緘具を再使用して、袋物１４の口部１４ａを締付けなければならない無駄が生じる。すなわち、この種の封緘具には、袋物１４の口部１４ａを適正な締付強さで緊締して封緘することが要求される。
【００１２】
本発明は、このような問題を解決するものであって、その目的とするところは、適正な締付強さで緊締して封緘することにより、封緘対象物口部の締付強さ不足による封緘対象物口部からの封緘具の離脱、あるいは封緘対象物口部の過剰な締付による封緘具の不本意な分解や切断などを確実に防止することができる封緘具を提供することにある。
【課題を解決するための手段】
【００１３】
本発明は、封緘対象物の口部を締め付ける帯状の係合片と、この係合片を挿通して締付状態にロックする係合部とを備え、前記係合片には第１係合手段が設けられ、前記係合部には第２係合手段が設けられていて、該係合部の挿通孔に挿通された前記係合片の第１係合手段と前記第２係合手段とが互いに係合して不可逆的に前記封緘対象物の口部を封緘する封緘具において、前記封緘対象物の口部の締め付け時に前記係合部に干渉して該係合部への前記係合片の挿通量を規制して、前記封緘対象物口部の締付強さを設定する締付強さ設定手段が前記係合片に設けられていることを特徴とするものである。
【００１４】
このように、係合片に設けられている締付強さ設定手段が係合部に干渉して、該係合部への係合片の挿通量が規制されることで、封緘対象物口部の締付強さを適正に設定することができる。
【００１５】
本発明においては、締付強さ設定手段が設けられている部位の係合片の厚さ寸法と締付強さ設定手段の高さ寸法との和の値を、係合部の挿通孔の少なくとも入口の高さ寸法よりも大きく設定することが好ましい。このように構成することで、締付強さ設定手段を係合部の挿通孔の入口周縁部に確実に干渉させて、締付強さ設定手段が係合部の挿通孔に挿入されるのを防止し、過剰に締付けられる不都合の発生を回避することができるので、封緘対象物口部の締付強さをさらに一層確実に適正に設定することができる。
【００１６】
また、本発明においては、締付強さ設定手段の数量は１つまたは２つ以上であってもよい。締付強さ設定手段を１つ設けた場合には、１つの締付強さ設定手段に所定の耐剪断強度を保有させることで、係合部との干渉による締付強さ設定手段の剪断破壊によって生じる過剰な締付を回避して、封緘対象物口部の締付強さを適正に設定することができる。一方、締付強さ設定手段を２つ以上設けた場合には、締付強さ設定手段の耐剪断強度を締付強さ設定手段の数量増加に相当して大きくすることが可能であるので、係合部との干渉による締付強さ設定手段の剪断破壊によって生じる過剰な締付を回避して、より一層確実に封緘対象物口部の締付強さを適正に設定することができる。
【００１７】
さらに、本発明においては、締付強さ設定手段を前記帯状の係合片に一体に形成された突起によって構成することが好ましい。このように構成することで、部品点数の削減と締付強さ設定手段製作の容易化を図って、封緘具の製造能率を向上させることができる。
【００１８】
また、本発明においては、締付強さ設定手段を、係合片の第１係合手段を設けた面と同じ面に設けてもよい。このように構成しても、締付強さ設定手段を係合部に干渉させて、該係合部への係合片の挿通量を規制し、封緘対象物口部の締付強さを適正に設定することができる。
【００１９】
さらに、本発明においては、締付強さ設定手段と第１係合手段とを係合片の表裏の両面に互いに分離して設けけてもよい。このように構成しても、締付強さ設定手段を係合部に干渉させて、該係合部への係合片の挿通量を規制し、封緘対象物口部の締付強さを適正に設定することができる。
【発明の効果】
【００２０】
本発明によれば、係合片に設けられている締付強さ設定手段が係合部に干渉して、該係合部への係合片の挿通量が規制されることで、適正な締付強さで封緘対象物の口部を緊締して封緘することができるので、封緘対象物口部の締付強さ不足による封緘対象物口部からの封緘具の離脱、あるいは封緘対象物口部の過剰な締付による封緘具の不本意な分解や切断などを確実に防止することができる。
【発明を実施するための最良の形態】
【００２１】
以下、本発明の実施形態を図面に基づいて説明する。なお、本発明に係る封緘具において、前記図１２〜図１４で説明した部分と同一部分については、同一の符号を付して説明する。
【００２２】
図１は本発明の実施形態を示す斜視図、図２は図１の正面図、図３は図１の背面図、図４は図１のＡ−Ａ線断面図、図５は係合部とその周辺部の拡大断面図、図６は使用状態を示す斜視図である。
これらの図に示されている封緘具は、可撓性を有する合成樹脂の一体成形品によってなり、封緘対象物である袋物１４の口部１４ａを締め付ける帯状の係合片１と、この係合片１を挿通して締付状態にロックする係合部２とを備え、係合片１には、その背面（裏面）に鋸歯状の第１係合手段３が設けられ、係合部２には、その挿通孔８の内部に係合爪からなる第２係合手段９が設けられていて、挿通孔８の入口８ａから該係合部２に挿通された係合片１の第１係合手段３と第２係合手段９とが互いに係合して不可逆的に袋物１４の口部１４ａを封緘するようになっている。
【００２３】
帯状の係合片１には、正面（表面）の自由端部１ａ寄りにおいて、その幅方向の一側に偏った位置に、逆挿入防止用の突起１５が形成されている。したがって、係合部２の挿通孔８に対する係合片１の「裏向き逆挿入」、「裏向き正挿入」、「表向き逆挿入」などが防止される（特開２０００−２２６０６４号公報）。また、図７に示すように、係合部２は、帯状の係合片１における基端の把持片１６に対して、抜き孔１７および切断可能な溝条部１８を介して連設した構成になっている。
【００２４】
前記封緘具が成形された原形の状態では、帯状の係合片１と係合部２とが、把持片１６、抜き孔１７、溝条部１８を介して一体化されて、その原形状態のまま封緘具として使用に供されることとなるが、一旦、把持片１６を強く引っ張って、溝条部１８を強制的に切断すると、図８に示すように、係合片１と係合部２とがが完全に分離して、係合片１と係合部２の一体化した原形状態を容易に分解することができる。すなわち、係合片１と係合部２の分離の有無を確認することで、不正行為が行われたか否かの判断が一目瞭然になされるので安全性に優れている。
【００２５】
また、封緘後に、挿通孔８に工具等の先端部を差し込んで、係合爪からなる第２係合手段９の第１係合手段３に対する係合解除を防止するために、少なくとも、挿通孔８の入口側と出口側を係合片１の断面と略等しい大きさとなし、かつ、第２係合手段９と第１係合手段３の確実な係合を得るために、図５に示すように、挿通孔８をその長手方向に対して湾曲させている。
【００２６】
一方、帯状の係合片１における基端部１ｂの正面（表面）には、幅方向の一側に偏って該帯状の係合片１に一体に形成された突起によってなる１つの締付強さ設定手段１９を設けてある。つまり、１つの締付強さ設定手段１９と第１係合手段３とを係合片１の表裏の両面に互いに分離して設けてある。なお、この１つの締付強さ設定手段１９は、所定の耐剪断強度を保有している。また、１つの締付強さ設定手段１９が設けられる位置は、前記の位置のみに限定されるものではなく、封緘対象物である袋物１４の種類や大きさなどが異なることによって相違する適正な締付強さに応じて、係合片１の長手方向に変わる。
【００２７】
すなわち、封緘対象物である袋物１４に要求される適正な締付強さが前記実施形態の封緘対象物の適正な締付強さよりも弱ければ、締付強さ設定手段１９の位置は、係合片１の正面（表面）における幅方向の一側に偏った状態で自由端部１ａ側に変位して設けられ、封緘対象物に要求される適正な締付強さが前記実施形態の封緘対象物の適正な締付強さよりも強ければ、締付強さ設定手段１９の位置は、係合片１の正面（表面）における幅方向の一側に偏った状態で係合部２側に変位して設けられる。図中、２０はプレ・ブレークポイントと称される小断面積部分を示し、封緘後における不正行為により係合片１に過剰な引っ張り力が負荷され場合に、係合片１を切断させて、不正行為を確認するために設けてある。
【００２８】
前記構成の封緘具の使用に際しては、図６に示すように、封緘対象物である袋物１４の口部１４ａに帯状の係合片１を巻き付けて、係合片１の自由端部１ａを係合部２の挿通孔８の入口８ａ（ただし図６には、入口８ａは図示されていない）から挿通して引き出し、さらに矢印Ｘに示す方向に係合片１を引っ張り出して、図９に示すように、１つの締付強さ設定手段１９を挿通孔８の入口８ａ周縁部に当接して干渉させることにより、封緘対象物である袋物１４の口部１４ａを適正に設定された締付強さで緊締して封緘することができる。また、この封緘状態は、係合片１の第１係合手段３に第２係合手段９が弾性的に強固に係合することになって、不可逆的に保持されることになる。
【００２９】
このように、係合片１に設けられている１つの締付強さ設定手段１９が係合部２に干渉して、該係合部２への係合片１の挿通量が規制されることで、適正な締付強さで封緘対象物である袋物１４の口部１４ａを緊締して封緘することができるので、口部１４ａの締付強さ不足による口部１４ａからの封緘具の離脱、あるいは口部１４ａの過剰な締付による封緘具の不本意な分解や切断などを確実に防止することができる。しかも、締付強さ設定手段１９が係合片１に一体に形成された突起によって構成されていることにより、締付強さ設定手段１９を別途製作して係合片１に取付ける手間が省けるので、部品点数の削減と締付強さ設定手段製作の容易化を図って、封緘具の製造能率を向上させることができる。
【００３０】
前記実施形態では、１つの締付強さ設定手段１９と第１係合手段３とを係合片１の表裏の両面に互いに分離して設けを設けた構成で説明しているが、図１０に示すように、１つの締付強さ設定手段１９を、第１係合手段３と同じ係合片１の背面（裏面）に設けてもよい、このように構成しても、図９で説明した１つの締付強さ設定手段１９と第１係合手段３とを係合片１の表裏の両面に互いに分離して設けた構造と同様に、１つの締付強さ設定手段１９が係合部２に干渉して、該係合部２への係合片１の挿通量が規制されることで、適正な締付強さで封緘対象物である袋物１４の口部１４ａを緊締して封緘することができるので、口部１４ａの締付強さ不足による口部１４ａからの封緘具の離脱、あるいは口部１４ａの過剰な締付による封緘具の不本意な分解や切断などを確実に防止することができる。
【００３１】
また、図１１に示すように、２つの締付強さ設定手段１９における一方の締付強さ設定手段１９を第１係合手段３と同じ係合片１の背面（裏面）に設け、他方の締付強さ設定手段１９を係合片１の正面（表面）に設けてもよい。特に、前記実施形態で説明した１つの締付強さ設定手段１９と同じ横断面積を有する締付強さ設定手段１９を２つ設けることで、締付強さ設定手段１９の耐剪断強度が倍増されることになるので、係合部２との干渉による締付強さ設定手段の剪断破壊によって生じる過剰な締付を回避して、より一層確実に封緘対象物である袋物１４の口部１４ａを適正な締付強さで緊締して封緘することができる。勿論、２つの締付強さ設定手段１９それぞれの耐剪断強度を前記実施形態で説明した１つの締付強さ設定手段１９の１／２に設定して、２つの締付強さ設定手段１９のトータル耐剪断強度を前記実施形態で説明した１つの締付強さ設定手段１９の耐剪断強度と等しい値に設定すても、係合部２との干渉による締付強さ設定手段の剪断破壊によって生じる過剰な締付を回避して、封緘対象物である袋物１４の口部１４ａを適正な締付強さで緊締して封緘することができる。
【００３２】
さらに、図１２に示すように、２つの締付強さ設定手段１９を係合片１の背面（裏面）もしくは正面（表面）の少なくとも一方の面において、幅方向に並列して設けても、締付強さ設定手段１９の耐剪断強度を増大させて、係合部２との干渉による締付強さ設定手段の剪断破壊によって生じる過剰な締付を回避し、より一層確実に封緘対象物である袋物１４の口部１４ａを適正な締付強さで緊締して封緘することが可能になる。
【００３３】
一方、図９，図１０に示すように、締付強さ設定手段１９が設けられている部位の係合片１の厚さ寸法ｔと締付強さ設定手段１９の高さ寸法ｈとの和の値Ｈ１を、係合部２の挿通孔８の少なくとも入口８ａの高さ寸法Ｈ２よりも大きく設定することと、図１１に示すように、係合片１の厚さ寸法ｔと２つの締付強さ設定手段１９の高さ寸法ｈ１，ｈ２との和の値Ｈ３を、係合部２の挿通孔８の少なくとも入口８ａの高さ寸法Ｈ２よりも大きく設定することによって、締付強さ設定手段１９を係合部２の挿通孔８の入口８ａ周縁部に確実に干渉させることができる。このため、締付強さ設定手段１０が係合部２の挿通孔８に挿入されるのを防止して、過剰に締付けられる不都合の発生を回避することができるので、封緘対象物である袋物１４の口部１４ａの締付強さをさらに一層確実に適正に設定することができる。
【００３４】
また、前記実施形態では、２つの締付強さ設定手段１９を設けた構成で説明しているが、締付強さ設定手段１９は３つ以上設けられていてもよい。
【図面の簡単な説明】
【００３５】
【図１】本発明に係る封緘具の実施形態を示す斜視図である。
【図２】図１の正面図である。
【図３】図１の背面図である。
【図４】図２のＡ−Ａ線断面図である。
【図５】係合部とその周辺部の拡大断面図である。
【図６】使用状態を示す斜視図である。
【図７】係合部とその周辺部の拡大背面図である。
【図８】開封された状態を示す斜視図である。
【図９】第１、第２係合手段が互いに係合しかつ締付強さ設定手段が係合部に干渉した状態の第１実施形態を示す拡大断面図である。
【図１０】第１、第２係合手段が互いに係合しかつ締付強さ設定手段が係合部に干渉した状態の第２実施形態を示す拡大断面図である。
【図１１】第１、第２係合手段が互いに係合しかつ締付強さ設定手段が係合部に干渉した状態の第３実施形態を示す拡大断面図である。
【図１２】複数の締付強さ設定手段が係合部に干渉した状態の第４実施形態を示す拡大説明図である。
【図１３】従来例の封緘状態を示す斜視図である。
【図１４】従来例の縦断面図である。
【図１５】従来例の締付ロック状態を示す拡大断面図である。
【符号の説明】
【００３６】
１  帯状の係合片
２  係合部
３  第１係合手段
９  第２係合手段
１４  袋物（封緘対象物）
１４ａ  袋物の口部（封緘対象物の口部）
１９  締付強さ設定手段
ｔ  締付強さ設定手段が設けられている部位の係合片の厚さ寸法
ｈ  締付強さ設定手段の高さ寸法
ｈ１  締付強さ設定手段の高さ寸法
ｈ２  締付強さ設定手段の高さ寸法
Ｈ１  ｔ＋ｈの値
Ｈ２  挿通孔の入口の高さ寸法
Ｈ３  ｔ＋ｈ１＋ｈ２の値
【図１】
2005187033.tif 000003
【図２】
2005187033.tif 000004
【図３】
2005187033.tif 000005
【図４】
2005187033.tif 000006
【図５】
2005187033.tif 000007
【図６】
2005187033.tif 000008
【図７】
2005187033.tif 000009
【図８】
2005187033.tif 000010
【図９】
2005187033.tif 000011
【図１０】
2005187033.tif 000012
【図１１】
2005187033.tif 000013
【図１２】
2005187033.tif 000014
【図１３】
2005187033.tif 000015
【図１４】
2005187033.tif 000016
【図１５】
2005187033.tif 000017